(57)【要約】【課題】装置本体に確実にカバーを取り付けることができ、且つ、装置本体に対するカバーの取付位置がヒンジ部の軸方向にずれていてもカバーが閉姿勢にされた状態でその位置ずれを矯正することが可能なカバー開閉支持機構、及びカバー開閉支持機構を備える画像処理装置を提供する。【解決手段】カバー開閉支持機構４０は、筐体１１に形成された開口２０を開閉するカバー３０を予め定められた回動支点を中心に回動可能に筐体１１に連結するヒンジ部４１を備える。ヒンジ部４１は、筐体１１に固定される固定部４３と、可動部４４と、を備える。可動部４４は、カバー３０に取り付けられ、カバー３０の開閉に応じてカバー３０の回動方向と同方向へ伸縮する前記回動支点の軸方向に延びるコイルバネ５２を含む。【選択図】図３
2019109437.tif 000002
【特許請求の範囲】
【請求項１】
装置本体に形成された開口を開閉するカバーを予め定められた回動支点を中心に回動可能に前記装置本体に連結するヒンジ部を備え、
前記ヒンジ部は、
前記装置本体に固定される固定部と、
前記カバーに取り付けられ、前記カバーの開閉に応じて前記カバーの回動方向と同方向へ伸縮する前記回動支点の軸方向に延びるコイルバネを含む可動部と、を備えるカバー開閉支持機構。
【請求項２】
前記開口における前記軸方向の縁部に設けられ、前記カバーが閉位置へ回動される場合に前記カバーの側端部に当接して前記軸方向の力を付与することにより前記コイルバネを前記軸方向に収縮させるとともに前記カバーを前記軸方向へ変位させる第１当接部を更に備える、請求項１に記載のカバー開閉支持機構。
【請求項３】
前記カバーにおける前記軸方向の側端部に設けられ、前記カバーが閉位置へ回動される場合に前記開口の縁部に当接して前記縁部から前記軸方向の力を受けることにより前記コイルバネを前記軸方向に収縮させるとともに前記カバーを前記軸方向へ変位させる第２当接部を更に備える、請求項１に記載のカバー開閉支持機構。
【請求項４】
前記可動部は、前記コイルバネの軸心に垂直な方向へ延出し、前記カバーに固定される固定片を有する、請求項１から３のいずれかに記載のカバー開閉支持機構。
【請求項５】
前記固定片は、前記コイルバネの線材で形成されており、前記コイルバネと一体に形成されている請求項４に記載のカバー開閉支持機構。
【請求項６】
前記固定部は、前記装置本体に固定される固定プレートと、前記固定プレートに設けられ前記軸方向に延びる支軸と、を有し、
前記可動部は、前記コイルバネが前記支軸に挿通されることにより前記固定部に回動可能に支持されている、請求項１から５のいずれかに記載のカバー開閉支持機構。
【請求項７】
開口を有する装置本体と、
前記開口を開閉するカバーと、
請求項１から６のいずれかに記載のカバー開閉支持機構と、を備える画像処理装置。
【発明の詳細な説明】
【技術分野】
【０００１】
本発明は、装置本体の開口を開閉するカバーの開閉支持機構に関する。
【背景技術】
【０００２】
電子写真方式に基づいて印刷用紙に画像を形成するコピー機やプリンターなどの画像形成装置（画像処理装置）が知られている。この種の画像形成装置には、内部の構成要素を着脱したり、内部で詰まった印刷用紙を取り除いたりするための開口が設けられている。前記開口は、普段はカバーで閉塞されているが、必要に応じて前記開口を開放させる必要がある。そのため、前記カバーは、前記開口を開閉可能なように、ヒンジ部によって装置本体に回動可能に連結されている（特許文献１参照）。このヒンジ部は、装置本体に固定される固定側ヒンジ板と、カバー側に取り付けられる可動側ヒンジ板とを備えている。
【先行技術文献】
【特許文献】
【０００３】
【特許文献１】特開２０１３−２２８６４１号公報
【発明の概要】
【発明が解決しようとする課題】
【０００４】
しかしながら、画像形成装置に用いられている従来のヒンジ部は、固定側ヒンジ板を装置本体にネジなどによって固定し、可動側ヒンジ板をカバーにネジなどによって固定するため、例えば、装置本体側あるいはカバー側に形成されたネジ穴の位置が設計位置からずれていた場合、装置本体に対してカバーの取付位置がずれることになる。具体的には、ヒンジ部の回動軸の軸方向にネジ穴がずれていた場合、カバーが同方向へずれることになる。この場合、固定側ヒンジ板あるいは可動側ヒンジ板のいずれかに前記軸方向の長孔を形成することにより、装置本体に対するカバーの位置ずれを調整可能である。しかしながら、ネジの締め付け具合が弱かったり締め付けに不具合があった場合は、カバーが前記軸方向に徐々にずれるおそれがある。また、カバーの開閉時の振動や衝撃などによってネジの締め付けが弱くなると、この場合もカバーが前記軸方向にずれるおそれがある。
【０００５】
本発明の目的は、装置本体に確実にカバーを取り付けることができ、且つ、装置本体に対するカバーの取付位置がヒンジ部の軸方向にずれていてもカバーが閉姿勢にされた状態でその位置ずれを矯正することが可能なカバー開閉支持機構、及びカバー開閉支持機構を備える画像処理装置を提供することにある。
【課題を解決するための手段】
【０００６】
本発明の一の局面に係るカバー開閉支持機構は、装置本体に形成された開口を開閉するカバーを予め定められた回動支点を中心に回動可能に前記装置本体に連結するヒンジ部を備える。前記ヒンジ部は、前記装置本体に固定される固定部と、可動部と、を備える。前記可動部は、前記カバーに取り付けられ、前記カバーの開閉に応じて前記カバーの回動方向と同方向へ伸縮する前記回動支点の軸方向に延びるコイルバネを含む。
【０００７】
本発明の他の局面に係る画像処理装置は、開口を有する装置本体と、前記開口を開閉するカバーと、前記カバー開閉支持機構と、を備える。
【発明の効果】
【０００８】
本発明によれば、装置本体に確実にカバーを取り付けることができ、且つ、装置本体に対するカバーの取付位置がヒンジ部の軸方向にずれていてもカバーが閉姿勢にされた状態でその位置ずれを矯正することが可能である。
【図面の簡単な説明】
【０００９】
【図１】図１は、画像形成装置を示す斜視図である。
【図２】図２は、画像形成装置の筐体に設けられたカバーを外側から見た部分拡大図である。
【図３】図３は、本発明の第１実施形態に係るカバー支持機構を示す図であり、図２の要部ＩＩＩを筐体の内側から見た部分拡大図である。
【図４】図４は、第１実施形態のカバー支持機構のヒンジ部を示す図である。
【図５】図５は、第１実施形態においてカバー支持機構のヒンジ部の可動部の変形例を示す図である。
【図６】図６は、カバー支持機構のヒンジ部の取付方向の変形例を示す図である。
【図７】図７は、本発明の他の実施形態に係るカバー支持機構を示す図である。
【図８】図８は、他の実施形態において筐体に設けられたバネ支持軸を示す図である。
【図９】図９は、従来のヒンジ部を示す模式図である。
【発明を実施するための形態】
【００１０】
以下、適宜図面を参照して本発明の実施形態について説明する。以下に説明される実施形態は本発明を具体化した一例にすぎず、本発明の技術的範囲を限定するものではない。なお、説明の便宜上、画像形成装置１０が使用可能な設置状態（図１に示す状態）において上下方向Ｄ１及び前後方向Ｄ２を定義する。また、前記設置状態の画像形成装置１０の正面を基準にして左右方向Ｄ３を定義する。
【００１１】
［画像形成装置１０］
図１は、本発明の実施形態に係る画像形成装置１０の構成を示す図である。画像形成装置１０は、いわゆる複合機であり、プリント機能、コピー機能などの各機能を備える。なお、画像形成装置１０は複合機に限られず、プリント機能やコピー機能などのように、画像を処理する画像処理装置であればよく、例えば、スキャナー装置やファクシミリ装置であってもよい。
【００１２】
図１に示されるように、画像形成装置１０は筐体１１（装置本体の一例）を備える。筐体１１は、全体として略直方体形状である。筐体１１の内部には、画像形成装置１０を構成する各部が配設されている。
【００１３】
画像形成装置１０は、４つの画像形成ユニット、中間転写ユニット、光走査装置、二次転写ローラー、定着装置、排紙トレイ１５、給紙カセット１６、操作表示部１７、ベルトクリーニング装置、及び制御部など備える。画像形成ユニットは、電子写真方式にしたがって画像を形成する処理（画像処理）を行う。前記画像形成ユニットは、現像装置、一次転写ローラー、感光体ドラムを有するドラムユニット、などを備えており、電子写真方式にしたがって画像を形成する。各画像形成ユニットは、筐体１１の内部において前後方向Ｄ２に沿って並設されており、所謂タンデム方式に基づいてカラー画像を形成する。前記画像形成ユニットは、各色のトナー像を前記感光体ドラムから前記中間転写ユニットの転写ベルトに重ね合わせて転写して、前記転写ベルトにカラーのトナー像を形成する。前記転写ベルト上のトナー像は、前記二次転写ローラーにより、前記給紙カセットから給送される印刷用紙に転写される。その後、前記定着装置によってトナー像が印刷用紙に定着され、排紙トレイ１５に排出される。なお、画像形成装置１０の構成については、従来周知であるため、ここでは詳細な説明を省略する。
【００１４】
画像形成装置１０は、装置本体としての筐体１１を備える。筐体１１は、画像形成装置１０の外装を構成する外装パネルを含む外装フレーム１１Ａと、画像形成装置１０の各構成要素などを支持するための内部フレーム１１Ｂ（図３参照）とにより構成されている。前記外装フレーム１１Ａは、画像形成装置１０の全体を覆っている。
【００１５】
本実施形態では、筐体１１の右側面１２に、右側面１２の外装パネルを構成する側面カバー１８Ａと、後方パネル１８Ｂとが設けられている。側面カバー１８Ａは、筐体１１の右側面１２に形成された開口（不図示）を開閉するための扉状のカバー部材であり、後方側で上下方向Ｄ１に延びる回転軸（不図示）を中心に、筐体１１に対して開閉可能に支持されている。後方パネル１８Ｂは、側面カバー１８Ａの後方に隣接して設けられており、側面カバー１８Ａの表面と同一面となるように筐体１１に取り付けられている。
【００１６】
後方パネル１８Ｂに矩形状の開口２０が形成されている。開口２０は、後方パネル１８Ｂに形成された上下方向Ｄ１に長い長方形状の切り欠きと、側面カバー１８Ａの後端部とによって区画されている。また、筐体１１の右側面１２には、開口２０を開閉するためのカバー３０が設けられている。通常、カバー３０は、開口２０を閉塞している。カバー３０は、筐体１１の内部をメンテナンスする場合や、開口２０から内部の構成要素を着脱させたりする場合に、閉位置から開位置まで回動されて、開口２０が開放される。
【００１７】
カバー３０は、開口２０の後方側の後縁部２１付近を回動支点として、開口２０を閉塞する閉位置（図１に示す位置）と、開口２０を開放する開位置（不図示）との間で回動可能に支持されている。本実施形態では、カバー３０は、開口２０の後縁部２１の近傍に設けられたヒンジ部４１（４１Ａ，４１Ｂ、図２参照）によって、図１の矢印Ｄ１０に示す方向へ回動可能に支持されている。
【００１８】
ところで、図９に示す従来のヒンジ部１００は、固定側ヒンジ板１０１を装置本体の内部フレーム１１０にネジなどによって固定し、可動側ヒンジ板１０２をカバー１１１にネジなどによって固定するものである。そのため、例えば、内部フレーム１１０あるいはカバー１１１に形成されたネジ穴の位置が設計位置からヒンジ部１００の回動軸１０３の軸方向（図９における上下方向）にずれていた場合、内部フレーム１１０に対してカバー１１１の取付位置がずれることになる。具体的には、図９に示すように、カバー１１１のネジ穴が設計位置よりも下方へずれていた場合、取付後のカバー１１１が装置本体の開口１１２において、破線で示す基準位置よりも上方向へずれることになる。この場合、固定側ヒンジ板１０１あるいは可動側ヒンジ板１０２のいずれかに前記軸方向の長孔を形成することにより、内部フレーム１１０に対するカバー１１１の位置ずれを調整可能である。しかしながら、ネジの締め付け具合が弱かったり締め付けに不具合があった場合は、カバー１１１が前記軸方向に徐々にずれるおそれがある。また、カバー１１１の開閉時の振動や衝撃などによってネジの締め付けが弱くなると、この場合もカバー１１１が前記軸方向にずれるおそれがある。
【００１９】
これに対して、本実施形態の画像形成装置１０においては、従来の支持構造とは異なるヒンジ部４１（４１Ａ，４１Ｂ）を有するカバー支持機構４０（本発明のカバー開閉支持機構の一例）が適用されている。これにより、筐体１１に確実にカバー３０を取り付けることができ、且つ、内部フレーム１１Ｂに対するカバー３０の取付位置がヒンジ部４１の軸方向にずれていてもカバー３０が閉姿勢にされた状態でその位置ずれを矯正することを可能にしている。
【００２０】
［カバー支持機構４０］
以下、図２乃至図４を参照して、ヒンジ部４１（４１Ａ，４１Ｂ）を有するカバー支持機構４０の構成について説明する。
【００２１】
本実施形態のカバー支持機構４０は、カバー３０を内部フレーム１１Ｂに回動可能に連結する２つのヒンジ部４１（４１Ａ，４１Ｂ）を備える。２つのヒンジ部４１は、上下方向Ｄ１に所定間隔を隔てて配置されている。２つのヒンジ部４１は、いずれも同じ構成であるため、以下においては、一方のヒンジ部４１の構成について説明する。ここで、図２は、図１における要部ＩＩの拡大図であり、筐体１１の右側面１２に設けられたカバー３０を外側から見た図である。図３は、カバー支持機構４０のヒンジ部４１を筐体１１の内部側から見た拡大図である。図４は、ヒンジ部４１単体の構成を示す図である。なお、図２及び図３においては、説明を簡便にするため、カバー３０と開口２０の周縁部との間の隙間を実際よりも大きく示している。
【００２２】
上述したように、ヒンジ部４１は、開口２０を開閉するカバー３０を筐体１１に回動可能に連結するものである。図３及び図４に示すように、ヒンジ部４１は、筐体１１の内部フレーム１１Ｂに固定される固定部４３と、カバー３０の裏面に取り付けられる可動部４４と、により構成されている。
【００２３】
固定部４３は、例えば、チタンやステンレス、アルミニウム、スチール、樹脂などで形成された矩形板状の固定プレート４６と、固定プレート４６に一体に形成された支軸４７とを有する。この支軸４７の中心を通る軸心が本発明の回動支点の一例である。固定プレート４６は、上下方向Ｄ１に長い形状であり、上下方向Ｄ１に隔てて一対の取付孔４９（図４参照）が形成されている。取付孔４９に挿通されたネジなどの締結具５０が内部フレーム１１Ｂに形成されたネジ穴（不図示）に螺着されることにより、固定プレート４６が内部フレーム１１Ｂに固定される。
【００２４】
支軸４７は、固定プレート４６の下部から開口２０側へ延出する板状の突出部４６Ａから上方へ延びている。支軸４７は、丸棒状に形成されており、概ね、固定プレート４６の上端と同じ位置まで達している。この支軸４７に、可動部４４が回動可能に取り付けられている。
【００２５】
可動部４４は、カバー３０に固定される固定片５３と、コイルバネ５２とを有する。コイルバネ５２は、金属ワイヤーなどの線材を巻回して構成されたものであり、そのコイル軸（軸心）の軸方向に力が作用することによって伸縮する。また、コイルバネ５２は、そのコイル軸の周方向（カバー３０の回動方向と同じ方向）に力を受けると、その周方向にも伸縮する。
【００２６】
固定片５３は、カバー３０の裏面に固定される部分であり、コイルバネ５２の上端部から前記コイル軸に対して垂直な方向（垂直方向）へ延出している。固定片５３は、コイルバネ５２と同じ線材で形成されており、コイルバネ５２と一体に形成されている。
【００２７】
図４に示すように、固定片５３の延出端には、コイルバネ５２の線材を屈曲させることにより形成された取付座５５が設けられている。具体的には、固定片５３は、コイルバネ５２の上端部から前記垂直方向へ延びる直線部５３Ａと、直線部５３Ａから下方へ１８０度屈曲された円弧部５３Ｂと、円弧部５３Ｂからコイルバネ５２側へ延びる直線部５３Ｃとを有しており、この直線部５３Ｃに取付座５５が連続して設けられている。この取付座５５は、直線部５３Ｃから下方へ屈曲されてから上方へ向けて湾曲状に曲げられた概ねＵ字形状に形成されている。取付座５５に挿通されたネジなどの締結具５０がカバー３０に形成されたネジ穴（不図示）に螺着されることにより、可動部４４がカバー３０の裏面に固定される。
【００２８】
本実施形態では、図３に示すように、固定部４３の固定プレート４６が内部フレーム１１Ｂに固定され、可動部４４の固定片５３がカバー３０の裏面に固定された状態で、コイルバネ５２が支軸４７に挿通されている。これにより、ヒンジ部４１によって、カバー３０と内部フレーム１１Ｂとが連結され、カバー３０が内部フレーム１１Ｂに連結された状態で、カバー３０は、支軸４７の中心を回動支点として内部フレーム１１Ｂに対して回動可能となる。つまり、カバー３０は、開口２０を閉塞する閉位置（図２及び３に示す位置）と、開口２０を開放する開位置との間で回動可能となる。
【００２９】
このようにヒンジ部４１が構成されているため、内部フレーム１１Ｂあるいはカバー３０に形成されたネジ穴の位置が設計位置から上下方向Ｄ１にずれていた場合でも、ヒンジ部４１によってカバー３０と内部フレーム１１Ｂとが連結されることにより、そのずれは、コイルバネ５２の伸縮によって矯正される。例えば、上側のヒンジ部４１Ａにおいて、カバー３０に対する固定片５３の取付位置が図３に示す位置よりも下方にずれていたとしても、コイルバネ５２が収縮することによりそのずれが補われて、カバー３０が開口２０に対して上下方向Ｄ１に大きくずれることなく位置決めされる。また、上側のヒンジ部４１Ａにおいて、カバー３０に対する固定片５３の取付位置が図３に示す位置よりも上方にずれていたとしても、コイルバネ５２が伸長することによりそのずれが補われて、カバー３０が開口２０に対して上下方向Ｄ１に大きくずれることなく位置決めされる。このため、カバー３０が前記閉位置まで回動された場合でも、カバー３０が開口２０の周縁に当たることなく、開口２０内に収まることができる。
【００３０】
ところで、上述したカバー支持機構４０において、上下に隔てられた２つのヒンジ部４１（４１Ａ，４１Ｂ）それぞれの固定片５３の取付位置が同じ方向（上方または下方）にずれていた場合は、カバー３０もその方向へずれることになる。本実施形態では、このような場合であっても、カバー３０が前記閉位置に配置されたときに開口２０を適切に閉塞できるように、カバー支持機構４０は、４つの当接部６１を備えている。４つの当接部６１（６１Ａ〜６１Ｄ）は、開口２０の周縁に設けられている。これら４つの当接部６１は、本発明の第１当接部の一例である。
【００３１】
具体的には、図２に示すように、開口２０の上側の縁部２０Ａに当接部６１Ａ，６１Ｂが設けられており、これらの当接部６１Ａ，６１Ｂは、前後方向Ｄ２へ隔てられて配置されている。当接部６１Ａ，６１Ｂは、カバー３０の上端部３０Ａに当接して下方の力を付与するものである。そのため、当接部６１Ａ，６１Ｂには、カバー３０の上端部３０Ａに円滑に当接する傾斜面６２が形成されている。例えば、カバー３０が上方へずれて取り付けられている場合に、カバー３０が前記開位置から前記閉位置まで回動される過程で、当接部６１Ａ，６１Ｂの傾斜面６２は、カバー３０の上端部３０Ａに当接して下方の力をカバー３０に付与する。これにより、コイルバネ５２を下方へ収縮させるとともにカバー３０を下方へ変位させることができる。その結果、カバー３０が前記閉位置に到達した状態で、開口２０に対するカバー３０の位置ずれが矯正されて、開口２０がカバー３０によって適切に閉塞される。
【００３２】
また、開口２０の下側の縁部２０Ｂに当接部６１Ｃ，６１Ｄが設けられており、これらの当接部６１Ｃ，６１Ｄは、前後方向Ｄ２へ隔てられて配置されている。当接部６１Ｃ，６１Ｄは、カバー３０の下端部３０Ｂに当接して上方の力を付与するものである。そのため、当接部６１Ｃ，６１Ｄには、カバー３０の下端部３０Ｂに円滑に当接する傾斜面６３が形成されている。例えば、カバー３０が下方へずれて取り付けられている場合に、カバー３０が前記開位置から前記閉位置まで回動される過程で、当接部６１Ｃ，６１Ｄの傾斜面６３は、カバー３０の下端部３０Ｂに当接して上方の力をカバー３０に付与する。これにより、コイルバネ５２を上方へ伸長させるとともにカバー３０を上方へ変位させることができる。その結果、カバー３０が前記閉位置に到達した状態で、開口２０に対するカバー３０の位置ずれが矯正されて、開口２０がカバー３０によって適切に閉塞される。
【００３３】
本実施形態では、４つの当接部６１が開口２０の周縁に設けられた構成を例示したが、例えば、４つの当接部６１が開口２０の周縁に設けられておらず、カバー３０の上端部３０Ａ又は下端部３０Ｂに設けられていてもよい。この場合の各当接部６１は、本発明の第２当接部の一例である。このような構成であれば、カバー３０が前記開位置から前記閉位置まで回動される過程で、各当接部６１は開口２０の縁部２０Ａ，２０Ｂに当接して、縁部２０Ａ，２０Ｂから上下方向Ｄ１のいずれか一方（上方又は下方）の力を受ける。これにより、コイルバネ５２を上下方向Ｄ１に伸長又は収縮させるとともに、カバー３０を上下方向Ｄ１へ変位させることができる。その結果、カバー３０が前記閉位置に到達した状態で、開口２０に対するカバー３０の位置ずれが矯正されて、開口２０がカバー３０によって適切に閉塞される。
【００３４】
なお、上述の実施形態では、可動部４４の固定片５３がコイルバネ５２の線材で形成された構成を例示したが、本発明はこのような構成に限られない。例えば、図５に示すように、可動部４４は、コイルバネ５２と、プレート状のカバー側固定プレート６５とを有する構成であってもよい。この場合、カバー側固定プレート６５がカバー３０にネジなどの締結具５０で固定され、コイルバネ５２の上端部がカバー側固定プレート６５に締結具５０で固定される。
【００３５】
また、上述の実施形態では、上側のヒンジ部４１Ａ及び下側のヒンジ部４１Ｂを共に同じ向きとなるように取り付けた構成を例示したが、本発明はこのような構成に限られない。例えば、図６に示すように、上側のヒンジ部４１Ａと下側のヒンジ部４１Ｂとを反対向きとなるように取り付けてもよい。つまり、上側のヒンジ部４１Ａは、支軸４７が上方へ向けて延出しており、その上端からコイルバネ５２が下方へ挿通される構成である。一方、下側のヒンジ部４１Ｂは、支軸４７が下方へ向けて延出しており、その下端からコイルバネ５２が上方へ挿通される構成である。
【００３６】
また、上述の実施形態では、上下に隔てられた２つのヒンジ部４１を有するカバー支持機構４０について例示したが、カバー支持機構４０は、１つのヒンジ部４１で構成されたものであってもよい。つまり、ヒンジ部４１の数は限定されない。
【００３７】
［他の実施形態］
以下、図７及び図８を参照して、本発明の他の実施形態として、画像形成装置１０に適用されるカバー支持機構７０（本発明のカバー開閉支持機構の一例、図７参照）について説明する。なお、以下の実施形態では、上述の実施形態と共通する構成には、同じ符号を付し示すことにより、当該共通の構成の説明を省略する。
【００３８】
図７に示すように、カバー支持機構７０は、カバー３０を内部フレーム１１Ｂに回動可能に連結する１つのヒンジ部７１と、バネ支持軸８５（８５Ａ，８５Ｂ）と、を備える。ヒンジ部７１は、開口２０を開閉するカバー３０を筐体１１に回動可能に連結するものである。図７に示すように、ヒンジ部７１は、筐体１１の内部フレーム１１Ｂに固定される固定部７２と、コイルバネ８２と、カバー３０の裏面に固定される固定部７３と、を備える。ここで、固定部７２は、本発明の固定部の一例であり、コイルバネ８２及び固定部７３は、本発明の可動部の一例である。
【００３９】
固定部７２，７３は、コイルバネ８２の線材で形成されており、コイルバネ８２と一体に形成されている。固定部７３及びコイルバネ８２は、上述した固定片５３及びコイルバネ５２と同じ構成である。一方、固定部７２は、コイルバネ８２の下端部から前記コイル軸に対して垂直な方向（垂直方向）であって、固定部７３の延出方向とは反対の方向へ延出している。固定部７２は、コイルバネ８２からの延出方向が異なるだけであり、他の部分は固定部７３（固定片５３）と同じ構成である。
【００４０】
図８に示すように、バネ支持軸８５は、内部フレーム１１Ｂから開口２０へ向けて突出する鉤状の部材であり、例えば、内部フレーム１１Ｂに一体に形成されている。上側のバネ支持軸８５Ａと下側のバネ支持軸８５Ｂは、互いに、上下方向Ｄ１に隔てられている。上側のバネ支持軸８５Ａは、開口２０側へ延出してから下方へ９０度屈曲された形状に形成されている。下側のバネ支持軸８５Ｂは、開口２０側へ延出してから上方へ９０度屈曲された形状に形成されている。上側のバネ支持軸８５Ａにコイルバネ８２の上端部が挿通され、下側のバネ支持軸８５Ｂにコイルバネ８２の下端部が挿通されることにより、コイルバネ８２がバネ支持軸８５Ａ，８５Ｂによって軸周りに回動可能に支持されている。そして、固定部７３がカバー３０の裏面にネジなどの締結具５０によって固定されており、固定部７２が内部フレーム１１Ｂにネジなどの締結具５０によって固定されている。
【００４１】
このようなヒンジ部７１を備えるカバー支持機構７０であっても、画像形成装置１０において、筐体１１に確実にカバー３０を取り付けることができ、且つ、内部フレーム１１Ｂに対するカバー３０の取付位置がヒンジ部７１の軸方向にずれていてもカバー３０が閉姿勢にされた状態でその位置ずれを矯正することが可能である。
【符号の説明】
【００４２】
１０    ：画像形成装置
１１    ：筐体
１１Ａ  ：外装フレーム
１１Ｂ  ：内部フレーム
１２    ：右側面
１８Ａ  ：側面カバー
１８Ｂ  ：後方パネル
２０    ：開口
２０Ａ  ：縁部
２０Ｂ  ：縁部
２１    ：後縁部
３０    ：カバー
４０    ：カバー支持機構
４１    ：ヒンジ部
４３    ：固定部
４４    ：可動部
４６    ：固定プレート
４６Ａ  ：突出部
４７    ：支軸
５２    ：コイルバネ
５３    ：固定片
６１    ：当接部
６５    ：カバー側固定プレート
７０    ：カバー支持機構
７１    ：ヒンジ部
７２    ：固定部
７３    ：固定部
８２    ：コイルバネ
８３    ：固定部
８５    ：バネ支持軸
【図１】
2019109437.tif 000003
【図２】
2019109437.tif 000004
【図３】
2019109437.tif 000005
【図４】
2019109437.tif 000006
【図５】
2019109437.tif 000007
【図６】
2019109437.tif 000008
【図７】
2019109437.tif 000009
【図８】
2019109437.tif 000010
【図９】
2019109437.tif 000011